(57)【特許請求の範囲】
【請求項１】
Ｒｕｎｎｉｎｇ  ＯＰＣ（Ｏｐｔｉｍｕｍ  Ｐｏｗｅｒ  Ｃａｌｉｂｒａｔｉｏｎ）を用いて光記録媒体に記録するパワーを設定し、かつ光記録媒体の各領域毎に変更される記録線速度に応じて、ターゲットβを変えて記録する、Ｚｏｎｅ  ＣＬＶによる記録媒体の記録方法において、記録線速度が変わる前に、記録する媒体に応じて、記録する半径位置により、Ｒｕｎｎｉｎｇ  ＯＰＣのターゲットβを除々に変えて記録し、かつ該ターゲットβ値の変更した部分前後の差が６％以内であることを特徴とする記録媒体への記録方法。
【発明の詳細な説明】
【０００１】
【発明の属する技術分野】
本発明は、記録媒体への記録方法に関するものである。
【０００２】
【従来の技術】
光情報媒体は、ＣＤ（コンパクトディスク）に代表されるように広く世の中に普及しており、近年、追記型ＣＤ（ＣＤ−Ｒｅｃｏｒｄａｂｌｅ）、書き換え可能型ＣＤ（ＣＤ−Ｒｅｗｒｉｔａｂｌｅ）が急速な勢いで広まっている。また、ＤＶＤに関しても、現在盛んに開発が行われ、市場に広まろうとしている。
【０００３】
これは、市販ライター及びメディアの低価格化や、市販ライターを用いてユーザが好きなデータを多量に書き込むことが出来、また、記録したメディアは、既に一般に広まっているＣＤ・ＤＶＤプレーヤーで再生することが可能である為である。従って、ライターで記録された信号は、ＣＤ・ＤＶＤ規格に準拠しなければならない。
【０００４】
最近になって急速に、高線速度で記録するドライブが多数発売されるようになり、メディアも高速記録に対応したメディアが発売されるようになった。高速で記録を行う場合、記録装置のスピンドルモーターに限界があるため、回転数には制限がある。その為、内周と外周で限界線速度が違っており、通常、各領域で記録線速度を変えて記録する方法（Ｚｏｎｅ  ＣＬＶ）が取られている。
【０００５】
しかし、高速で記録する場合、低速記録の時に比べて、記録パワーに対するマージンは狭く（ジッター、変調度などの項目特性のマージンが狭くなっている）、また、記録パワーの設定精度も低下しており、更に、光記録媒体の記録特性は、基板の溝形状、記録層・反射層などの膜厚に依存して、生産条件による媒体の記録特性内外差の発生及び、最近の光記録媒体の低価格化でコストダウンにより、光記録媒体の半径方向での均一性が悪化する傾向にあった。
【０００６】
そこで、ドライブは、光記録媒体を挿入すると、最内周部で記録パワーキャリブレーションを行い、その結果を用いてデータ部に最適な記録特性が得られるように記録パワーの調整を行っており、現状のドライブは、内周から外周まで同じターゲットβにより記録パワーを調整して記録を行っている。
【０００７】
【発明が解決しようとする課題】
しかしながら、従来の記録方法において、光記録媒体の記録特定が半径方向で異なる場合や、光記録媒体の記録線速度より狙いのβ値が異なる場合には、光記録媒体の全面にわたり最適な記録パワーで記録することが出来ないという問題があった。
【０００８】
そこで本発明は上記の問題点を解決するためになされたもので、全面にわたり最適な記録パワーで光記録媒体に記録する記録媒体の記録方法及び記録装置並びにその光記録媒体を提供することを目的とする。
【０００９】
【課題を解決するための手段】
前記の課題を解決するために、請求項１記載の発明では、Ｒｕｎｎｉｎｇ  ＯＰＣ（Ｏｐｔｉｍｕｍ  Ｐｏｗｅｒ  Ｃａｌｉｂｒａｔｉｏｎ）を用いて光記録媒体に記録するパワーを設定し、かつ光記録媒体の各領域毎に変更される記録線速度に応じて、ターゲットβを変えて記録する、Ｚｏｎｅ  ＣＬＶによる記録媒体の記録方法において、記録線速度が変わる前に、記録する媒体に応じて、記録する半径位置により、Ｒｕｎｎｉｎｇ  ＯＰＣのターゲットβを除々に変えて記録し、かつ該ターゲットβ値の変更した部分前後の差が６％以内であることを特徴とする記録媒体への記録方法を最も主要な特徴とする。
【００１１】
【発明の実施の形態】
記録装置により光記録媒体を記録する場合には、初めに、最内周部のテスト記録領域で記録パワーを振って記録を行い、記録パワーのキャリブレーションを行う。ここで、記録には下記の２つの方法が用いられる。
【００１２】
一方の方法は、Ｒｕｎｎｉｎｇ  ＯＰＣ（Ｏｐｔｉｍｕｍ  Ｐｏｗｅｒ  Ｃａｌｉｂｒａｔｉｏｎ）をＯＮにすることにより、記録パワーキャリブレーションで、記録中の反射光強さと記録後のβの関係を求めて、狙いのβ値が得られる反射光強さを設定し、設定された反射光強さとなるように、記録パワーを調整しながら情報領域の記録を行うものである。
【００１３】
他方の方法は、Ｒｕｎｎｉｎｇ  ＯＰＣ（Ｏｐｔｉｍｕｍ  Ｐｏｗｅｒ  Ｃａｌｉｂｒａｔｉｏｎ）をＯＦＦにすることにより、記録パワーキャリブレーションで、記録パワーと記録後のβの関係を求めて、狙いのβ値が得られる記録パワーを設定し、設定された記録パワーで、記録領域の記録を行うものである。
【００１４】
このように、光記録媒体の記録装置は、光記録媒体の記録品質を向上させるため、Ｒｕｎｎｉｎｇ  ＯＰＣ記録方法を用いており、光記録媒体には、媒体の情報を入れ込むことが出来ると共に、記録装置はその情報を読み取ることが出来る。
【００１５】
また、媒体に、各半径位置での媒体の記録特性情報を入れておくことで、記録装置はその情報に応じて記録することが出来る。
【００１６】
光記録媒体の記録特性は、基板の溝形状、記録層、反射層の膜厚等に依存しており、光記録媒体を生産する工程では、完全に内周、外周部では、完全に同じものを形成するのは不可能であり、当然、記録特性にも内外差が生じる。
【００１７】
例えば、ＣＤ−Ｒ／ＲＷ、ＤＶＤ−Ｒ／ＲＷの基板を作成するためには、射出成形方法を用いるのが一般的であるが、この方法を用いた場合、内周と外周で出来上がる基板の溝形状が異なる。
【００１８】
ここで、図１、図２には、ＣＤ−Ｒメディアに対して、一般的なＣＤ−Ｒ／ＲＷ記録ドライブを用いて、内周（Ｒ＝２５ｍｍ）、中周（Ｒ＝４０ｍｍ）、外周（Ｒ＝５６ｍｍ）に、線速度１２ｘで記録パワーを振って記録したときのβに対する記録特性（変調度、ジッター）を示す。ジッターは、３５ｎｓ以下である必要があり、変調度は、６０％以上である必要がある。
【００１９】
図１からも明らかなように、内周、中周、外周で記録特性が異なり、内・中周ではβが５％付近で特性が良好なのに対して、外周部では、０％付近で特性が良好になっている。
【００２０】
表１には、８ｘ〜２０ｘまでの線速度でパワーを振って記録したときのβマージンを示した（記録は、中周で実施した）。表１より明らかなように、各線速度により、狙いのβが異なっている。
【００２１】
【表１】
0003735812.tif 000002
【００２２】
Ｚｏｎｅ  ＣＬＶでは、位置によって、線速度を変更して、媒体に記録を行う。そのため、各記録線速度でターゲットβ値をかえて記録することで、良好な記録特性を得ることが出来る。  各記録線速度で、ターゲットβ値が異なる場合、ある領域でβ変化量が大きくなってしまう。  そこで、線速度のかわる前に、ターゲットβを少しづつかえることで、β変化量を急激に変化させずに、記録を行うことが出来る。
【００２３】
一般に、線速度が遅いほうが、記録特性のβマージンは広く、Ｚｏｎｅ  ＣＬＶの場合、外周に向かって徐々に線速度が上がっていくので、βマージンの広い線速度の領域でβ値を徐々に変えるのが効果的である。
【００２４】
［実施例］
ＣＤ−ＲメディアとＣＤ‐Ｒ／ＲＷドライブで、記録特性評価を行った。ＣＤ−Ｒメディアには、ポリカーボネート製基板を形成させて、その上に、フタロシアニン系化合物で成膜して、銀反射膜、ＵＶ硬化樹脂の保護層を順次形成させてメディアを作成した。記録ドライブには、ＲＩＣＯＨ製ＭＰ７２００Ａドライブで記録パワーを振って記録を行い、β、ジッターはＰｕｌｓｔｅｃ社製ＤＤＵ−１０００で測定を行い、変調度は、Ａｕｄｉｏ−Ｄｅｖｅｌｏｐｍｅｎｔ社製ＣＤ−ＣＡＴＳで測定を行った。
【００２５】
実施例１
各半径位置での記録特性
図１に示したように、半径位置で記録特性を評価した結果が示されている。
内、中、外周部で、最適記録β値が異なっていることが分かる。
【００２６】
実施例２
各線速度での記録特性
表１に示したように、各線速度での記録特性を評価した結果が示されている。各線速度で、最適記録β値及びβマージンに違いがあることが分かる。
【００２７】
実施例３
β変化量と再生特性
中周部（Ｒ＝４０ｍｍ）で、ターゲットβ値の変化量を振ってメディアを作成して、その部分の再生速度を測定した。再生速度測定には、ＭＰ７２００Ａドライブ（４０ｘ再生ドライブ）で評価を行った。
【００２８】
表２で明らかなように、β変化量が大きいと、再生に問題が発生することが分かる。（４０ｘで再生出来れば、リード遅れなく、再生が出来たことになる。）また、再生品質を確保するためには、局所的なβ変化量は、６％以内である必要がある。
【００２９】
【表２】
0003735812.tif 000003
【００３０】
【発明の効果】
以上説明したように、請求項１または２記載の発明によれば、各半径位置で記録特性の異なる光記録媒体に対して記録を行う場合、記録装置が媒体を識別して、その媒体に最適なβで記録することで、全面にわたり最適な記録特性で書き込むことが出来る。
【図面の簡単な説明】
【図１】ＣＤ−Ｒメディアの内周（Ｒ＝２５ｍｍ）、中周（Ｒ＝４０ｍｍ）、外周（Ｒ＝５６ｍｍ）に対して、線速度１２ｘで記録パワーを振って記録したときのβに対する記録特性のジッターを示す図である。
【図２】ＣＤ−Ｒメディアの内周（Ｒ＝２５ｍｍ）、中周（Ｒ＝４０ｍｍ）、外周（Ｒ＝５６ｍｍ）に対して、線速度１２ｘで記録パワーを振って記録したときのβに対する記録特性の変調度を示す図である。
【図１】
0003735812.tif 000004
【図２】
0003735812.tif 000005